(57)【特許請求の範囲】
【請求項１】
ヘッドレストフレームをヘッドレストステーに対して回動可能な状態で支持することにより、ヘッドレストの傾倒位置を前方に調節可能とするヘッドレスト用傾倒装置であって、
その内周部における一部の区間に複数の係合歯を有するラチェット孔が形成された左右一対の縦壁部を備え、ヘッドレストステーに一体結合されるラチェットプレートと、
ヘッドレストフレームに一体結合されるフロントプレートと、
フロントプレートを後方へ回動するように付勢するフロントプレート付勢手段と、
前記係合歯に係合するための左右一対の係合片がその左右両側縁から外方に突出して設けられ、フロントプレートに対して回動可能な状態で支持され、その回動中心から先端までの長さが係合歯の傾倒角度ピッチの１０倍以上とされ、１５°以下の回動角度で回動するロックプレートと、
ロックプレートを常時ロック方向に付勢するためのロック付勢手段と、
ロックプレートをロック解除方向に回動させて前記係合歯と前記係合片との係合を一時的に解除するロック解除手段と、
ラチェットプレート、フロントプレート、フロントプレート付勢手段、ロックプレート、ロック付勢手段及びロック解除手段からなる部材群を覆う樹脂カバーと、
で構成されたことを特徴とするヘッドレスト用傾倒装置。
【請求項２】
ヘッドレストを側方から見たときの、ヘッドレストフレームの回動中心をＰ１とし、ロックプレートの回動中心をＰ２とし、前記係合片と前記係合歯との係合点をＰ３とした場合における、線分Ｐ１Ｐ２と線分Ｐ２Ｐ３の為す角度θが、９０〜１１０°とされた請求項１記載のヘッドレスト用傾倒装置。
【請求項３】
前記ラチェット孔の内周部における上側区間に前記複数の係合歯が形成されて、当該内周部における下側前方区間が前側ストッパー部とされるとともに、
前記係合片の上向き端面が、前記係合歯に下方から係合してヘッドレストの後方回動を規制する後方回動規制係合部とされて、前記係合片の下向き端面が、前記前側ストッパー部に上方から当接してヘッドレストの前方回動を規制する前方回動規制当接部とされ、
前記係合歯の頂部に、前記係合歯に係合された前記係合片の下向き端面に当接する脱落防止突起を設けた請求項１又は２記載のヘッドレスト用傾倒装置。
【請求項４】
ラチェットプレートが鋼板製とされ、前記ラチェット孔がその周辺部を繋がった状態で残された打抜孔とされた請求項１〜３いずれか記載のヘッドレスト用傾倒装置。
【請求項５】
ロック解除手段が、
ヘッドレストの外部から操作されるロック解除ボタンが設けられるとともにその先端部に傾斜カムが設けられ、ロック解除ボタンが押し込まれた際に当該傾斜カムがロックプレートにおけるロック解除バー当接部に当接することにより、ロックプレートをロック解除方向に回動させるロック解除バーと、
ロック解除バーを外方に付勢するためのロック解除バー付勢手段と、
で構成された請求項１〜４いずれか記載のヘッドレスト用傾倒装置。
【請求項６】
ロック解除手段が、
ラチェットプレートに固定された切替ピンと、
フロントプレートに一体結合されたガイドバーと、
ガイドバーにスライド可能な状態で挿入された樹脂ピースと、
で構成され、
樹脂ピースが、切替当接片Ａ、切替当接片Ｂ及び切替カムを具備するとともに、
ロックプレートが、切替カム当接部を具備し、
ロック状態においては、切替当接片Ａが切替ピンに対して規制のない自由状態にある一方、
ヘッドレストに前向きの外力が加えられた際には、樹脂ピースがガイドバーと一体的に移動して、最前方調整位置で切替当接片Ｂが切替ピンに当接し、
ヘッドレストが最前方調整位置を越えてさらに前方へ操作されると、樹脂ピースがガイドバーをスライドして、切替カムが切替カム当接部と当接し、ロックプレートを回転動させることで、前記係合が解除されてロックが解除され、
ヘッドレストに前記外力が加わらなくなると、後方回動付勢バネによってヘッドレストが最後方調整位置に戻されるとともに、樹脂ピースがスライドすることで元の状態に復帰する請求項１〜３いずれか記載のヘッドレスト用傾倒装置。
【請求項７】
ヘッドレストステー及びヘッドレストフレームに結合された請求項６記載のヘッドレスト用傾倒装置と、
樹脂カバーをヘッドレストフレームとともに覆う表皮と、
発泡樹脂からなるクッション材と、
を備え、
樹脂カバーが、ヘッドレスト用傾倒装置における前記部材群を左右から覆うための左側樹脂カバー及び右側樹脂カバーを有する左右分割式のものとされて、そのいずれかにロック解除バーを案内支持するためのロック解除バー案内支持部が設けられたことを特徴とするヘッドレスト。
【請求項８】
フロントプレートに樹脂カバー係合孔が設けられ、樹脂カバーの内側に設けられた係合爪を樹脂カバー係合孔に対して係合することにより、フロントプレートに対して樹脂カバーを固定した請求項７記載のヘッドレスト。
【請求項９】
樹脂カバーにおける下面部が、樹脂カバーにおける他の部分から分離可能な下側樹脂カバーとされて、
下側樹脂カバーに、左側樹脂カバー及び右側樹脂カバーに一体結合させるための係合爪を設けた請求項７又は８記載のヘッドレスト。
【発明の詳細な説明】
【技術分野】
【０００１】
本発明は、ヘッドレストの傾倒位置（前後位置）を調節可能とするヘッドレスト用傾倒装置と、当該ヘッドレスト用傾倒装置を用いたヘッドレストとに関する。
【背景技術】
【０００２】
自動車のシートに備えられるヘッドレストとしては、要求される強度と制約された寸法及び形状に適合したラチェット機構を採用することにより、シートバックに対して前後位置を調節することができるようにしたものが知られている。これにより、着座者の頭部とヘッドレストとの隙間を減少させることが可能になり、追突された場合の頭部の後方振れの距離や前方衝突の場合の反動による頭部の後方振れの距離を減少させ、着座者へのダメージの軽減を図ることができる。この種のヘッドレストとしては、これまでに種々のものが提案されている。
【０００３】
例えば、本出願人は、ヘッドレストを初期位置から前方に向かって段階的に位置調節可能としながらも、ヘッドレストを一旦前方の限界位置まで移動させてラチェットのロックを解除しない限りは後方へ移動させることができない構造としたヘッドレスト（特許文献１を参照）を提案している。特許文献１のヘッドレストでは、同文献の図２に示すように、ロックプレート５０の回動中心から先端までの長さが下向き係合歯８１のピッチの３倍程度とされて、ロックプレート５０が３０〜４５°程度の大きい角度で回動されるようになっており、乗り越しバネ６０の付勢方向が変化することにより、ロック状態とロック解除状態とが切り替わるようになっている（同文献の段落００３２を参照）。ところが、特許文献１のヘッドレストでは、構造上の制約から、調整段数は限られた数段に制約され（同文献の図１〜５では４段）、また付勢バネが乗り越しバネであることから、衝撃でロックが外れるおそれがあり、また、部材数が多く複雑で重量が増加するという課題に加えて強度面での課題も残っている。
【０００４】
加えて、特許文献１のヘッドレストは、下振式のヘッドレストには問題なく採用できるものの、上振式のヘッドレストに採用すると、車両衝突時や急ブレーキ時等に、ヘッドレストの重量に伴う慣性力によってヘッドレストが限界位置を超えて前方に傾倒するおそれがあるだけでなく、前部座席のヘッドレストに採用すると、車両衝突時や急ブレーキ時等に、後部座席の着座者が前部座席のヘッドレストを前方に押し出し、当該ヘッドレストが限界位置を越えて前方に押し出される可能性がある。そのことから、ヘッドレストは、前方の限界位置まで達するとラチェットのロックが解除され、頭部から離れた元の最後部位置に戻ることが可能な構造となっているため、前方の限界位置に意図せず動いてしまい、上述した着座者へのダメージの軽減効果が奏されなくなるおそれもある。
【０００５】
また、特許文献２には、ヘッドレストの側方に設けた押ボタンを押し込んでロックを解除しない限り、ヘッドレストを後方の元の位置に戻せない構造のヘッドレストが提案されている。しかし、このヘッドレストは、ロック部材を左右方向に抜き差ししてロックと解除を切り替える構造であることから自ずと調整ピッチが大きくなり、調整段数が少ない。また、部材の厚みも大きく、操作ボタン等が加わるためさらに重量が増加し、加えて、ファインプレス加工等を施す必要が生じ、ヘッドレストの軽量化や生産性の向上を阻害する要因となっている。
【先行技術文献】
【特許文献】
【０００６】
【特許文献１】特許第５５１３６９２号公報
【特許文献２】特開２０１２−２４９８６９号公報
【発明の概要】
【発明が解決しようとする課題】
【０００７】
本発明は、上記課題を解決するために為されたものであり、ロックプレートの形状と配置の追求等で細かいピッチの調節ができ、高負荷に耐え、且つ軽量で、生産性の良好なヘッドレスト用傾倒装置を提供するものである。また、このヘッドレスト用傾倒装置を用いたヘッドレストを提供することも本発明の目的である。
【課題を解決するための手段】
【０００８】
上記課題は、
ヘッドレストフレームをヘッドレストステーに対して回動可能な状態で支持することにより、ヘッドレストの傾倒位置を前方に調節可能とするヘッドレスト用傾倒装置であって、
その内周部における一部の区間に複数の係合歯を有するラチェット孔が形成された左右一対の縦壁部を備え、ヘッドレストステーに一体結合されるラチェットプレートと、
ヘッドレストフレームに一体結合されるフロントプレートと、
フロントプレートを後方へ回動するように付勢するフロントプレート付勢手段と、
前記係合歯に係合するための左右一対の係合片がその左右両側縁から外方に突出して設けられ、フロントプレートに対して回動可能な状態で支持され、その回動中心から先端までの長さが係合歯の傾倒角度ピッチの１０倍以上とされ、１５°以下の回動角度で回動するロックプレートと、
ロックプレートを常時ロック方向に付勢するためのロック付勢手段と、
ロックプレートをロック解除方向に回動させて前記係合歯と前記係合片との係合を一時的に解除するロック解除手段と、
部材を覆う樹脂カバーと、
で構成されたことを特徴とするヘッドレスト用傾倒装置
を提供することによって解決される。
【０００９】
本発明のヘッドレスト用傾倒装置は、ロック付勢手段として、特許文献１に示すような乗り越しバネではなく、常時ロック方向に付勢するバネを採用したことから、付勢方向が変わらず、調整位置において意図せず衝撃や振動が加わった際にも外れることがない。また、本発明のヘッドレスト用傾倒装置は、ヘッドレストの後側から強い力が加えられた場合であっても、ヘッドレストが前方の限界位置を越えて移動しない構造のものとなっている。さらに、本発明のヘッドレスト用傾倒装置では、ラチェット機構を構成するラチェット孔及び係合片を左右一対に設け、左右両側端面で荷重（力）を受けることにより、板状鋼板の採用を可能にし、ラチェット孔を設けるラチェットプレートや、係合片を設けるロックプレートを薄くできるようになることから、細かいピッチ調整が可能になる。さらにまた、本発明のヘッドレスト用傾倒装置では、ラチェットプレートやロックプレートを、ファインプレス加工ではない通常のプレス加工で成形することも可能になり、ヘッドレストの生産性を高めることもできる。
【００１０】
本発明のヘッドレスト用傾倒装置において、ヘッドレストを側方から見たときの、ヘッドレストフレームの回動中心をＰ１とし、ロックプレートの回動中心をＰ２とし、前記係合片と前記係合歯との係合点をＰ３とした場合における、線分Ｐ１Ｐ２と線分Ｐ２Ｐ３の為す角度θは、９０〜１１０°とすると好ましい。というのも、角度θが９０°未満であると、係合歯と係合片との係合が外れる方向に分力が発生するのに対し、９０°以上であると、その係合を食い込ませる方向に分力が発生するからである。なお、１１０°を超えると、食い込ませる方向の分力が大きくなり過ぎ、部材変形等の弊害をもたらすおそれがあるため好ましくない。
【００１１】
本発明のヘッドレスト用傾倒装置において、ラチェット孔は、その周辺部に切れ目や開口を有する開いた形態のものであってもよいが、強度を上げるために、その周辺部が繋がった状態で残された形態（周辺部に切れ目や開口を有さない形態）のものとすることも好ましい。ちなみに、図２においてヘッドレストフレーム２０における頭部負荷入力部Ｐ４に前方向（頭部）から９８０Ｎの負荷がかかるとしたとき、線分Ｐ２Ｐ３に対する線分Ｐ１Ｐ４の長さが３倍であることからテコの原理に基づき、Ｐ２にかかる負荷は約３０００Ｎとなる。またロックプレートを通じてＰ３にも同程度の負荷が掛かるため、その負荷に対応した圧縮及び曲げ強度がフロントプレート、ロックプレート及びラチェットプレートには必要になる。ラチェットプレートは、通常、鋼板製のものとされるが、この場合、ラチェット孔は、ラチェットプレートにおける前記縦壁部を打ち抜いた打抜孔を加工することによって設けることができる。
【００１２】
本発明のヘッドレスト用傾倒装置においては、前記ラチェット孔の内周部における上側区間に前記複数の係合歯を形成して、当該内周部における下側前方区間を前側ストッパー部とするとともに、前記係合片の上向き端面を、前記係合歯に下方から係合してヘッドレストの後方回動を規制する後方回動規制係合部として、前記係合片の下向き端面を、前記前側ストッパー部に上方から当接してヘッドレストの前方回動を規制する前方回動規制当接部とすると好ましい。
【００１３】
本発明のヘッドレスト用傾倒装置において、前記係合歯は、前記係合片を適切に係合できるものであればその形態を特に限定されず、三角形状のほか、各種形状を採用することができる。例えば、図４に示すように、前記係合歯の頂部に、前記係合歯に係合された前記係合片の下向き端面に当接する脱落防止突起を設けてもよい。この構成は、ヘッドレストを後方に移動させる場合だけでなく、前方に移動させる場合にも、ロック解除ボタンを押し込まなければならない態様（ロック解除ボタン方式）に限られる。
【００１４】
本発明のヘッドレスト用傾倒装置において、ロック解除手段の具体的な構成は、特に限定されない。例えば、ロック解除手段を、ヘッドレストの外部から操作されるロック解除ボタンが設けられるとともにその先端部に傾斜カムが設けられ、ロック解除ボタンが押し込まれた際に当該傾斜カムがロックプレートにおけるロック解除バー当接部に当接することにより、ロックプレートをロック解除方向に回動させるロック解除バーと、ロック解除バーを外方に付勢するためのロック解除バー付勢手段とで構成することもできる。以下においては、この態様のロック解除手段を「ボタン有りタイプのロック解除手段」と呼ぶことがある。
【００１５】
また、ロック解除手段を、
ラチェットプレートに固定された切替ピンと、
フロントプレートに一体結合されたガイドバーと、
ガイドバーにスライド可能な状態で挿入された樹脂ピースと、
で構成し、
樹脂ピースが、切替当接片Ａ、切替当接片Ｂ及び切替カムを具備するとともに、
ロックプレートが、切替カム当接部を具備し、
ロック状態においては、切替当接片Ａが切替ピンに対して規制のない自由状態にある一方、
ヘッドレストに前向きの外力が加えられた際には、樹脂ピースがガイドバーと一体的に移動して、最前方調整位置で切替当接片Ｂが切替ピンに当接し、
ヘッドレストが最前方調整位置を越えてさらに前方へ操作されると、樹脂ピースがガイドバーをスライドして、切替カムが切替カム当接部と当接し、ロックプレートを回転動させることで、前記係合が解除されてロックが解除され、
ヘッドレストに前記外力が加わらなくなると、後方回動付勢バネ（フロントプレート付勢手段）によってヘッドレストが最後方調整位置に戻されるとともに、樹脂ピースがスライドすることで元の状態に復帰するようにすることもできる。
以下においては、この態様のロック解除手段を「ボタン無しタイプのロック解除手段」と呼ぶことがある。
【００１６】
また、上記課題は、
ヘッドレストステー及びヘッドレストフレームに結合された本発明のヘッドレスト用傾倒装置と、
樹脂カバーをヘッドレストフレームとともに覆う表皮と、
発泡樹脂からなるクッション材と、
を備え、
樹脂カバーが、ヘッドレスト用傾倒装置を左右から覆うための左側樹脂カバー及び右側樹脂カバーを有する左右分割式のものとされて、そのいずれかにロック解除バーを案内支持するためのロック解除バー案内支持部が設けられたことを特徴とするヘッドレスト
を提供することによっても解決される。
【００１７】
従来のヘッドレストは、樹脂カバーが前後分割式とされているため、ヘッドレストの前後方向に衝撃力が加わった際に、ロック解除ボタンを備えたものにあっては、ロック解除ボタンの位置がずれ、ロック解除ボタンを操作してもロックが解除できなくなるおそれがあった。この点、本発明のヘッドレストのように、樹脂カバーを左右分割構造にし、フロントプレートを挟み込んで前後方向の位置や動きを規制することで、組立精度を高め、ロック解除ボタン（ロック解除バー）の位置ずれを防止して、上記の不具合が発生しないようにすることができる。
【００１８】
本発明のヘッドレストにおいて、樹脂カバーの固定構造は特に限定されないが、フロントプレートに樹脂カバー係合孔を設け、樹脂カバーの内側に設けた係合爪を樹脂カバー係合孔に対して係合することにより、フロントプレートに対して樹脂カバーを固定するようにすると好ましい。これにより、フロントプレートに対して樹脂カバーの左右方向位置を正確にし、且つ両者を強固に固定することが可能になる。
【００１９】
本発明のヘッドレストにおいては、樹脂カバーにおける下面部を、樹脂カバーにおける他の部分から分離可能な下側樹脂カバーとすることも好ましい。というのも、樹脂カバーの下面部には、ヘッドレストステーを挿通するためのヘッドレストステー挿通部が左右一対に設けられるところ、ヘッドレストステーの直径やピッチは、各車種の仕様によって異なるため、ヘッドレストステー挿通部の寸法や配置は、一様には定まらないが、樹脂カバーにおける下面部を分離可能な構造とすることにより、当該下面部を交換するだけであらゆる仕様に対応することが可能となる。下側樹脂カバーには、左側樹脂カバー及び右側樹脂カバーに一体結合させるための係合爪を設けると好ましい。これにより、樹脂カバー全体のがた付きを抑制することが可能になる。
【発明の効果】
【００２０】
以上のように、本発明によって、ロックプレートの形状や配置等に工夫を施すことと、常時係合方向に付勢するロック付勢手段により、調整位置での外れを防ぎ、ヘッドレストの傾倒位置を細かいピッチで調整でき、高負荷に耐え、且つ軽量で、制約された寸法・形状に適合したコンパクトサイズで、生産性も良好なヘッドレスト用傾倒装置を提供することが可能になる。また、このヘッドレスト用傾倒装置を用いたヘッドレストを提供することも可能になる。
【図面の簡単な説明】
【００２１】
【図１】第一実施態様のヘッドレストを分解して示した後方斜視図である。
【図２】第一実施態様のヘッドレストを左右方向に垂直な平面で切断した断面図及び水平面で切断した断面図である。
【図３】第一実施態様のヘッドレストを前後方向に垂直な平面で切断した断面図である。
【図４】第一実施態様のヘッドレスト用傾倒装置における係合歯の数と形状の変形例を説明する図である。
【図５】第一実施態様のヘッドレスト用傾倒装置におけるヘッドレストフレーム及びロックプレートの回動中心Ｐ１，Ｐ２と係合歯及び係合片の係合点Ｐ３との位置とベクトル（分力）の関係を説明する図である。
【図６】第一実施態様のヘッドレスト用傾倒装置における係合歯面と係合片（ロックプレート）との当接角度とベクトル（分力）の関係を説明する図である。
【図７】第一実施態様のヘッドレスト用傾倒装置の調整動作を説明する図である。
【図８】第二実施態様のヘッドレスト用傾倒装置の動作を説明する図である。
【図９】第二実施態様のヘッドレストを左右方向に垂直な平面で切断した断面図である。
【発明を実施するための形態】
【００２２】
以下、本発明のヘッドレスト用傾倒装置及びヘッドレストの好適な実施態様について、図面を用いてより具体的に説明する。以下においては、２つの実施態様（第一実施態様及び第二実施態様）を例に挙げて本発明を説明するが、本発明の技術的範囲は、これらの実施態様に限定されることなく、適宜変更を施すことができる。
【００２３】
１．第一実施態様のヘッドレスト
まず、第一実施態様のヘッドレストについて説明する。図１は、第一実施態様のヘッドレストを分解して示した後方斜視図である。図２（ａ）は、第一実施態様のヘッドレストを左右方向に垂直な平面で切断した断面図である。図２（ｂ）は、第一実施態様のヘッドレストを水平面で切断した断面図である。図３は、第一実施態様のヘッドレストを前後方向に垂直な平面で切断した断面図である。図３及び図２（ｂ）においては、ヘッドレストの左側（ヘッドレストを後方から見て左側）半分のみを表している。
【００２４】
第一実施態様のヘッドレストは、図１〜３に示すように、ヘッドレストステー１０と、ヘッドレストフレーム２０と、ヘッドレストステー１０及びヘッドレストフレーム２０に結合されたヘッドレスト用傾倒装置３０と、樹脂カバー３６と、表皮４０と、クッション材５０とを備えたものとなっている。このヘッドレストは、樹脂カバー３６の内側にヘッドレスト用傾倒装置３０を収容した後、発泡樹脂（クッション材５０）と表皮４０を被せたものとなっている。
【００２５】
１．１  ヘッドレスト用傾倒装置
ヘッドレスト用傾倒装置３０は、図１に示すように、ヘッドレストステー１０に溶接で一体結合されるラチェットプレート３１と、ヘッドレストフレーム２０に一体結合されるフロントプレート３２と、フロントプレート３２に対して回動可能な状態で支持されたロックプレート３３と、ロック付勢手段３４と、ロックプレート３３をロック解除方向に回動させるロック解除手段３５と、部材３１〜３５を覆う樹脂カバー３６とを備えたものとなっている。フロントプレート３２は、ラチェットプレート３１に対して左右方向に挿通固定されるピン１０１によって軸支され、ロックプレート３３は、フロントプレート３２の曲面で広く保持され、フロントプレート３２に対して左右方向に挿通固定されるピン１０２に軸支される。このヘッドレスト用傾倒装置３０は、ヘッドレストフレーム２０をヘッドレストステー１０に対して回動可能な状態で支持することにより、ヘッドレストの傾倒位置を調節可能とするためのものとなっている。
【００２６】
（１）ラチェットプレート
ラチェットプレート３１は、板厚１．６〜２ｍｍの高張力鋼板で、その内周部における一部の区間に複数の係合歯３１ａ１を有するラチェット孔３１ａ２が形成された左右一対の縦壁部３１ａと、左右一対の縦壁部３１ａの後側縁部を繋ぐ背面壁部３１ｂとを備え、水平断面コの字状に形成された板状部材となっている。ラチェット孔３１ａ２は、ラチェットプレート３１における縦壁部３１ａを通常プレスで打ち抜くことによって形成されており、その周辺部を切れ目等の無い繋がった状態で残された独立した打抜孔となっている。ラチェット孔３１ａ２の内周部のうち、上側区間は、図２に示すように、三角形状の係合歯３１ａ１が８箇所に形成された前後位置調節部となっており、下側前方区間は、前側ストッパー部となっている。このため、第一実施態様において、ヘッドレストの前後位置は、８つの係合歯３１ａ１と、ラチェット孔３１ａ２の後側区間上部（この部分も概念的に係合歯に含まれるものとする。）と合わせて９段階の細かい調整が可能となっている。なお、図１及び図２以外は説明上分かりやすくするため、実際よりも少ない歯数４個で図示している。
【００２７】
ところで、係合歯３１ａ１は、上述した単純な三角形状に限定されず、さらに複雑な形態とすることもできる。図４は、第一実施態様のヘッドレスト用傾倒装置３０における係合歯３１ａ１の数と形状の変形例を説明する図である。例えば、係合歯３１ａ１は、図４（ａ）に示すように、その頂部に、係合歯３１ａ１に係合された係合片３３ａ１の側面の上部に当接する脱落防止突起３１ａ３を設けることもできる。これにより、常時作用するロック付勢手段３４に加えて、二重の脱落防止が可能となっている。また、係合歯３１ａ１は、図４（ｂ）に示すように、その頂部に、係合歯３１ａ１に係合された係合片３３ａ１の下向き端面に当接する脱落防止突起３１ａ３を設けることもできる。これにより、ヘッドレスト用傾倒装置３０を前方に移動させる場合にも、ロック解除手段３５を操作しなければならないようにすることができる。なお、前述の通り、図４（ａ），（ｂ）の係合歯３１ａ１は、見やすくするため、実際よりも少ない歯数４個で図示している。
【００２８】
（２）フロントプレート
フロントプレート３２は、板厚１．６〜２ｍｍの高張力鋼板で、薄肉（直径１０〜１２ｍｍ、厚み１ｍｍ）の軽量パイプからなるヘッドレストフレーム２０の左右を溶接固定した水平断面ハット状の前面壁部３２ａと、前面壁部３２ａの下部両端から後方に突出して設けられた左右一対の突出壁部３２ｂと、ロックプレート３３を広い曲面で回動自在に保持している後面壁部３２ａ１とを有する板状部材となっている。突出壁部３２ｂには、後述する樹脂カバー３６の内側に設けられた係合爪３６ｅを係合するための樹脂カバー係合孔３２ｂ１が設けられて嵌合している。さらに、図２（ｂ）の断面図で示すように、樹脂カバー３６でフロントプレート３２を挟み込むことで一体結合している。
【００２９】
（３）ロックプレート
ロックプレート３３は、板厚１．６〜２ｍｍの高張力鋼板で、係合歯３１ａ１の傾倒角度ピッチの１０倍以上の長さにすることで回動角度を１５°以下にした本体部３３ａと折返部３３ｂとで構成された側面視Ｖ字状の板状部材となっており、その本体部３３ａの左右両側縁には、外方に突出する左右一対の係合片３３ａ１が設けられ、その折返部３３ｂの左右両側縁には、外方に突出する左右一対のロック解除バー当接部３３ｂ１が設けられている。ただし、ロックプレート３３は、ロック解除バー当接部３３ｂ１に相当する部分を本体部３３ａに設けることで、折返部３３ｂを有さない形態とすることも可能である。ロックプレート３３は、その左右一対の係合片３３ａ１がラチェット孔３１ａ２の内周部に設けられた係合歯３１ａ１に係合できるように、その左右一対の係合片３３ａ１がラチェットプレート３１における左右一対の縦壁部３１ａのそれぞれの内方からラチェット孔３１ａ２に挿入された状態となるように配される。係合片３３ａ１の上向き端面は、ラチェット孔３１ａ２の前後位置調節部（上側区間）に設けられた係合歯３１ａ１に下方から当接してヘッドレストの後方回動を規制する後方回動規制係合部となっており、係合片３３ａ１の下向き端面は、ラチェット孔３１ａ２の前側ストッパー部（下側前方区間）に上方から当接してヘッドレストの前方回動を規制する前方回動規制当接部となっている。また、ロックプレート３３の一端は、強い力を受けることができるようにフロントプレート３２の後面壁部３２ａ１の広い曲面で回動自在に保持されている。
【００３０】
（４）ロック付勢手段
ロック付勢手段３４は、ロックプレート３３を常時ロック係合方向（係合片３３ａ１が係合歯３１ａ１に係合する向き）に押付付勢するためのものである。第一実施態様において、ロック付勢手段３４は、その両端部がフロントプレート３２の上部とロックプレート３３の本体部３３ａの上部との両端の穴に引っ掛けられた引っ張りコイルバネである。ロック付勢手段３４に必要な強さは、係合歯面３１ａ４と係合片３３ａ１（ロックプレート３３）の位置、角度及びベクトルの関係によって決まり、その関係は図５及び図６を用いて後述する。なお、このロック付勢手段３４は、その形態について特に限定されない。
【００３１】
（５）ロック解除手段
ロック解除手段３５は、係合歯３１ａ１と係合片３３ａ１との係合を一時的に解除するためのものとなっている。第一実施態様において、ロック解除手段３５は、ロック解除バー３５ａとロック解除バー付勢手段３５ｂとで構成されたボタン有りタイプのものとなっている。ロック解除バー３５ａの基端部には、ヘッドレストの外部から操作されるロック解除ボタン３５ａ１が設けられており、ロック解除バー３５の先端部には、傾斜カム３５ａ２が設けられている。ロック解除バー３５ａは、樹脂カバー３６に対して内外にスライド可能な状態で支持されており、ロック解除ボタン３５ａ１が内方に押し込まれると、傾斜カム３５ａ２がロックプレート３３におけるロック解除バー当接部３３ｂ１に当接することで、ロックプレート３３をロック解除方向（係合片３３ａ１が係合歯３１ａ１から離反する向き）に回動させるようになっている。ロック解除バー付勢手段３５ｂは、ロック解除バー３５ａを外方に付勢するための部材となっており、第一実施態様においては、圧縮コイルバネを採用している。
【００３２】
（６）樹脂カバー
樹脂カバー３６は、ヘッドレスト用傾倒装置３０における内部機構を覆うための部材となっており、左側樹脂カバー３６ａと、右側樹脂カバー３６ｂとで構成された左右分割式のものとなっている。樹脂カバー３６は、通常、樹脂の射出成形品とされる。左側樹脂カバー３６ａ若しくは右側樹脂カバー３６ｂには、左右に貫通する貫通孔３６ａ１が設けられており、この貫通孔３６ａ１に、ロック解除バー３５ａを案内支持するためのロック解除バー案内支持部３６ｄを挿通支持することができるようになっている。また、左側樹脂カバー３６ａ及び右側樹脂カバー３６ｂの内面には、フロントプレート３２の樹脂カバー係合孔３２ｂ１に係合するための係合爪３６ｅが設けられている。さらに、樹脂カバー３６における下面部は、左側樹脂カバー３６ａ及び右側樹脂カバー３６ｂから分離可能な下側樹脂カバー３６ｃとなっている。下側樹脂カバー３６ｃには、ヘッドレストステー１０における左右一対のパイプを挿入するための左右一対のステー挿入孔３６ｃ１と、左側樹脂カバー３６ａと右側樹脂カバー３６ｂとをより強固に一体結合させるための係合爪３６ｃ２が設けられており、樹脂カバー３６全体のがたつきを抑制している。
【００３３】
（７）後方回動付勢手段（フロントプレート付勢手段）
後方回動付勢手段３７は、フロントプレート３２を常時後方向（ラチェットプレート３１側）に付勢する手段である。これは、振動によるヘッドレスト用傾倒装置３０のがたつきを抑制するためのものである。なお、図１の後方回動付勢手段３７は、捻りバネを採用しているが、フロントプレート３２を後方向に付勢できるものであれば、その形態は特に限定されない。
【００３４】
（８）ヘッドレストフレーム及びロックプレート３３の回動中心と係合歯及び係合片の係合点との位置とベクトル（分力）の関係
図５は、第一実施態様のヘッドレスト用傾倒装置３０におけるヘッドレストフレーム２０及びロックプレート３３の回動中心Ｐ１，Ｐ２と係合歯３１ａ１及び係合片３３ａ１の係合点Ｐ３との位置とベクトル（分力）の関係を説明する図である。第一実施態様のヘッドレストにおいては、図２に示すように、ヘッドレストを側方から見た場合における、ヘッドレストフレーム２０の回動中心をＰ１とし、ロックプレート３３の回動中心をＰ２とし、係合片３３ａ１と係合歯３１ａ１との係合点をＰ３とした場合における、線分Ｐ１Ｐ２と線分Ｐ２Ｐ３とが為す角の大きさθが９０°以上となるようにしている。というのも、θを９０°以上とすると、図５（ａ）に示すような状態となるが、この場合には、ヘッドレストの後方向に負荷が掛かった際に、係合片３３ａ１が係合歯３１ａ１に食い込む方向にベクトル（分力）が働くのに対し、θを９０°未満とすると、図５（ｂ）に示すような状態となるが、この場合には、ヘッドレストの後方向に負荷が掛かった際に、係合片３３ａ１が係合歯３１ａ１に対して外れる方向にベクトル（分力）が働くからである。
【００３５】
（９）係合歯面と係合片（ロックプレート）との当接角度とベクトル（分力）の関係
図６は、第一実施態様のヘッドレスト用傾倒装置３０における係合歯面３１ａ４と係合片３３ａ１との当接角度とベクトル（分力）の関係を説明する図である。第一実施態様のヘッドレストにおいては、図２に示すように、ヘッドレストを側方から見た場合における、係合歯３１ａ１に対する係合片３３ａ１の当接角の大きさγが９０°以上となるようにしている。というのも、γを９０°以上とすると、図６（ａ）に示すような状態となるが、この場合には、ヘッドレストの後方向に負荷が掛かった際に、係合片３３ａ１が係合歯３１ａ１に食い込む方向にベクトル（分力）が働くのに対し、γを９０°未満とすると、図６（ｂ）に示すような状態となるが、この場合には、ヘッドレストの後方向に負荷が掛かった際に、係合片３３ａ１が係合歯３１ａ１に対して外れる方向にベクトル（分力）が働くからである。なお、上記（８），（９）で述べた角度θ、γに関する設定値は、バネの強度や係合歯３１ａ１及び係合片３３ａ１の摩擦係数による摩擦角等によって影響され、それを加減される。
【００３６】
１．２  ヘッドレストの動作
図７は、第一実施態様のヘッドレスト用傾倒装置３０の調整動作を説明する図である。このヘッドレストでは、図７（ａ）に示すように、ロックプレート３３の係合片３３ａ１が係合される係合歯３１ａ１が最も後側に位置するものから、図７（ｂ）に示すように、前方のものへと段階的に切り替わっていくことにより、図７（ｃ）に示すように、最も前側に位置するものへと切り替えることができるようになっている。図７（ａ）の状態にあっては、ヘッドレストは後方の限界位置となっており、図７（ｃ）の状態にあっては、ヘッドレストは前方の限界位置となっている。図７（ａ）の状態から図７（ｃ）の状態へは、ヘッドレストに前向きの力をかけただけで移行する。ただし、ヘッドレストが前方の限界位置に達した場合（図７（ｃ）の状態）であっても、係合歯３１ａ１と係合片３３ａ１との係合（ロック）が解除されないようになっている。一方、ヘッドレストを後方に移動させる際には、ロック解除ボタン３５ａ１（図３）を操作することにより、図７（ｄ）に示すように、係合歯３１ａ１と係合片３３ａ１との係合（ロック）を解除する。
【００３７】
２．第二実施態様のヘッドレスト
続いて、第二実施態様のヘッドレストについて説明する。図８は、第二実施態様のヘッドレスト用傾倒装置３０の動作を説明する図である。図９は、第二実施態様のヘッドレストを左右方向に垂直な平面で切断した断面図であり、下振り構造としての使用例である。
【００３８】
また、第一実施態様のヘッドレストでは、ロック解除手段３５がボタン有りタイプのものとなっていたが、第二実施態様のヘッドレストでは、ロック解除手段３５がボタン無しタイプのものとなっている。すなわち、図８及び図９に示すように、ロック解除手段３５が、ラチェットプレート３１に固定された切替ピン３５ｃと、フロントプレート３２に一体結合されたガイドバー３５ｄと、ガイドバー３５ｄにスライド可能な状態で挿入された樹脂ピース３５ｅとで構成されている。樹脂ピース３５ｅは、切替当接片３５ｅ２（切替当接片Ａ）と切替当接片３５ｅ３（切替当接片Ｂ）と切替カム３５ｅ１とを具備しており、ロックプレート３３は、切替カム当接部３３ｂ２を具備している。ヘッドレスト用傾倒装置３０のロック状態においては、切替当接片３５ｅ２が切替ピン３５ｃに対して規制のない自由状態にあり、（手で押した）前方向に調節するときは、樹脂ピース３５ｅがガイドバー３５ｄと一体で動き、最前方調整位置で該切替当接片３５ｅ３が切替ピン３５ｃに当接し、最前方調整位置を越えて、さらに前方に操作すると、樹脂ピース３５ｅはガイドバー３５ｄをスライドし、切替カム３５ｅ１が切替カム当接部３３ｂ２と当接し、ロックプレート３３を回転動させることで、係合を外し、ロックを解除する。押した手を離すと、後方回動付勢バネ３７によって最後方調整位置に戻されるとともに、樹脂ピース３５ｅがスライドすることで元の状態に復帰するようになっている。
【００３９】
第二実施態様のヘッドレスト用傾倒装置３０では、ラチェット機構を構成するラチェット孔及び係合片を左右一対に設け、左右両側端面で荷重（力）を受けることにより、板状鋼板の採用を可能にし、ラチェット孔を設けるラチェットプレートや、係合片を設けるロックプレートを薄くできるようになることから、細かいピッチ調整が可能であって、切替手段は解除方向に変化する乗り越しバネの使用はなく、常時ロック方向に付勢するバネであることから、バネの誤動作に問題ない。ただし、意図しない動きがあることから、下振り式による後部座席への採用が好ましい。
【符号の説明】
【００４０】
１０      ヘッドレストステー
２０      ヘッドレストフレーム
３０      ヘッドレスト用傾倒装置
３１      ラチェットプレート
３１ａ    縦壁部
３１ａ１  係合歯
３１ａ２  ラチェット孔
３１ａ３  脱落防止突起
３１ａ４  係合歯面
３１ｂ    背面壁部
３２      フロントプレート
３２ａ    前面壁部
３２ａ１  後面壁部
３２ｂ    突出壁部
３２ｂ１  樹脂カバー係合孔
３３      ロックプレート
３３ａ    本体部
３３ａ１  係合片
３３ｂ    折返部
３３ｂ１  ロック解除バー当接部
３３ｂ２  切替カム当接部
３４      ロック付勢手段
３５      ロック解除手段
３５ａ    ロック解除バー
３５ａ１  ロック解除ボタン
３５ａ２  傾斜カム
３５ｂ    ロック解除バー付勢手段
３５ｃ    切替ピン
３５ｄ    ガイドバー
３５ｅ    樹脂ピース
３５ｅ１  切替カム
３５ｅ２  切替当接片Ａ
３５ｅ３  切替当接片Ｂ
３６      樹脂カバー
３６ａ    左側樹脂カバー
３６ａ１  貫通孔
３６ｂ    右側樹脂カバー
３６ｃ    下側樹脂カバー
３６ｃ１  ステー挿入孔
３６ｃ２  係合爪
３６ｄ    ロック解除バー案内支持部
３６ｅ    係合爪
３７      後方回動付勢手段（フロントプレート付勢手段）
４０    表皮
５０    クッション材
１０１    ピン
１０２    ピン
Ｐ１    ヘッドレストフレームの回動中心
Ｐ２    ロックプレートの回動中心
Ｐ３    係合片と係合歯との係合点
Ｐ４    頭部負荷入力部
【要約】
【課題】
ヘッドレストの生産性の向上及び軽量化を可能としながらもその安全性を高めることのできるヘッドレスト用傾倒装置を提供する。
【解決手段】
ヘッドレスト用傾倒装置３０を、その内周部に複数の係合歯３１ａ１を有するラチェット孔３１ａ２が形成された左右一対の縦壁部３１ａを備えたラチェットプレート３１と、フロントプレート３２と、フロントプレート付勢手段３７と、係合片３３ａ１がその左右両側縁から外方に突出して設けられてフロントプレート３２に対して回動可能な状態で支持され、その回動中心から先端までの長さが係合歯３１ａ１の傾倒角度ピッチの１０倍以上とされて１５°以下の回動角度でフロントプレート３２に対して回動するロックプレート３３と、ロック付勢手段３４と、係合歯３１ａ１と係合片３３ａ１との係合を一時的に解除するロック解除手段３５と、樹脂カバー３６とで構成した。
【選択図】  図１【図１】
0005710831.tif 000002
【図２】
0005710831.tif 000003
【図３】
0005710831.tif 000004
【図４】
0005710831.tif 000005
【図５】
0005710831.tif 000006
【図６】
0005710831.tif 000007
【図７】
0005710831.tif 000008
【図８】
0005710831.tif 000009
【図９】
0005710831.tif 000010